(57)【要約】【課題】  パラフィン、脂肪酸エステル、ポリヒドロキシ脂肪酸エステル、脂肪アルコール、アルコキシル化脂肪酸エステル、アルコキシル化脂肪アルコール及びこれら化合物の混合物からなる群から選択される、２５〜３７℃の融点を有する成分ａ）５〜５０質量％、ポリヒドロキシ脂肪酸エステル、Ｃ１４−２２脂肪アルコール、Ｃ１２−２２脂肪酸、脂肪酸及びエステルのアルコキシル化誘導体並びにこれら化合物の混合物からなる群から選択される、４０〜６０℃の融点を有する成分ｂ）５〜５０質量％、及びｃ）水５〜２５質量％を含む組成物。この組成物は、肌に優しい不織布材料の製造に使用することができる。【特許請求の範囲】
【請求項１】
少なくとも
ａ）パラフィン、脂肪酸エステル、ポリヒドロキシ脂肪酸エステル、脂肪アルコール、アルコキシル化脂肪酸エステル、アルコキシル化脂肪アルコール及びこれら化合物の混合物からなる群から選択される、２５〜３７℃の融点を有する成分５〜５０質量％、
ｂ）ポリヒドロキシ脂肪酸エステル、Ｃ１４−２２脂肪アルコール、Ｃ１２−２２脂肪酸、脂肪酸及びエステルのアルコキシル化誘導体並びにこれら化合物の混合物からなる群から選択される、４０〜６０℃の融点を有する成分５〜５０質量％、及び
ｃ）水５〜２５質量％
を含む組成物。
【請求項２】
成分ａ）が、Ｃ８−１８脂肪酸のグリセリドの群、好ましくはそのような部分グリセリドの工業用混合物及び／又はグリセリドとの混合物から選択される請求項１に記載の組成物。
【請求項３】
成分ｂ）が、Ｃ８−１８脂肪酸のグリセリドの群、好ましくはそのような部分グリセリドの工業用混合物及び／又はグリセリドとの混合物から選択される請求項１又は２に記載の組成物。
【請求項４】
成分ａ）を１５〜６０質量％、成分ｂ）を１０〜６０質量％及び成分ｃ）を１０〜２５質量％含む請求項１〜３のいずれかに記載の組成物。
【請求項５】
油中水エマルション又は水中油エマルションとして調製される請求項１〜４のいずれかに記載の組成物。
【請求項６】
さらに非イオン性乳化剤ｄ）を含む請求項１〜５のいずれかに記載の組成物。
【請求項７】
成分ｄ）が、５〜１５質量％、好ましくは５〜１０質量％の量で存在する請求項１〜６のいずれかに記載の組成物。
【請求項８】
成分ｄ）として、ポリグリセロールポリ−１２−ヒドロキシステアレートを選択する請求項６又は７に記載の組成物。
【請求項９】
成分ｄ）として、ポリビニルステアリルエーテルを選択する請求項６〜８のいずれかに記載の組成物。
【請求項１０】
２３℃で１００〜１０００００mPa.sの粘度を有する請求項１〜８のいずれかに記載の組成物。
【請求項１１】
皮膚科学的に適合性のある不織布仕上げ剤としての、請求項１〜８のいずれかに記載の組成物の使用。
【発明の詳細な説明】
【技術分野】
【０００１】
本発明は、不織布、特に衛生製品に使用され得る不織布の仕上げに用いる水系組成物に関する。
【背景技術】
【０００２】
衛生物品、例えば、おむつ又は衛生ナプキンの製造において、水性液体を吸収するために、吸収性材料が使用される。装用中に吸収性材料に直接触れることを防止し、装用感を増すために、このような材料は、薄い水透過性不織布により包囲される。そのような不織布は、通常、合成繊維、例えばポリオレフィン又はポリエステル繊維から製造される。それは、これら繊維が安価に製造でき、良好な機械的性質及び耐熱性を有するからである。
【０００３】
衛生物品に使用されるこの種の不織布は、一般に適合性及び快適な装用感を改善する為に、皮膚科学的に適合性のあるローションにより仕上げられることが増えている。例えば、DE 33 09 530 C1 には、８〜１８個の炭素原子を有するヤシ油脂肪酸のトリグリセリド及び／又は部分グリセリドからなるスキンケア製剤により含浸された衛生用吸収性不織布が開示されている。装用中にこの製剤を不織布から皮膚に容易に移行させる為に、DE 33 09 530 C1 に記載のトリグリセリド混合物は、３５〜４０℃の範囲の「上昇」融点（Steigschmelzpunkt）を有するように選択される。
【０００４】
装用中にスキンケア製剤を衛生物品から皮膚へ移行させるための別の提案が、WO 96/16682 に見出せる。この国際公開公報は、内側不織布カバーを、２０℃で固体又は半固体であって装用中に装用者の皮膚に移行するローションにより仕上げたおむつを記載している。このローションは、室温で塑性又は液体でなければならない水不含皮膚軟化剤（エモリエント）１０〜９５％及び３５℃以上、好ましくは４０℃以上の融点を有するいわゆる固定剤５〜９０％を含む。
【０００５】
既知のローションの主たる問題は、貯蔵時の安定性である。ローションは、皮膚温度、即ち約３６〜３８℃の温度で不織布から皮膚へ容易に移行できるような稠度（コンシステンシー）を有することが不可欠である。しかしながら、この温度調節方法は、衛生製品を比較的高温、例えば３０℃を超える温度で貯蔵する場合に、問題を生じ得る。即ち、ローションが、しばしば不織布から「滲み出す」ように見えることである。
【特許文献１】DE 33 09 530 C1
【特許文献２】WO 96/16682
【発明の開示】
【発明が解決しようとする課題】
【０００６】
従って、本発明が解決しようとする課題は、貯蔵中、特に比較的高い温度での貯蔵中に安定性が保証されなければならない衛生物品用の不織布に適用される皮膚科学的に適合性のローションを提供することである。
加えて、不織布は、例えばおむつにおいて、液体透過性でなければならず、従って、通常は親水性仕上げされる。それ故に、一般的に疎水性である皮膚科学的に適合性のローションを用いて付加的な仕上げを行うと、不織布を介して吸収性材料への液体の移行性が低下したり、はっきりと損なわれたりする。
【０００７】
さらに、ローションは、不織布から装用者の皮膚へ完全に移行され、他の有用な機能、例えば臭い発散の低減、又は細菌、菌類及び酵母の成長の抑制のような機能を発揮する必要がある。基本的に、ローションは、不織布に容易に適用でき、既知の仕上げ方法により適用できる必要がある。上記の問題は、従来技術に記載された水不含（無水）ローションにより解決することができる。とりわけ、ある種の添加剤、例えば水性媒体から適用された時にのみ活性になるリシノール酸亜鉛又はキトサンを適用する場合に、困難さが生じる。
【課題を解決するための手段】
【０００８】
上記の要求を満たす適当な水系組成物は、選択された油状成分を組み合わせることにより得られることが見出された。
本発明は、少なくとも、ａ）パラフィン、脂肪酸エステル、ポリヒドロキシ脂肪酸エステル、脂肪アルコール、アルコキシル化脂肪酸エステル、アルコキシル化脂肪アルコール及びこれら化合物の混合物からなる群から選択される、２５〜３７℃の融点を有する成分５〜５０質量％、ｂ）ポリヒドロキシ脂肪酸エステル、Ｃ１４−２２脂肪アルコール、Ｃ１２−２２脂肪酸、脂肪酸及びエステルのアルコキシル化誘導体並びにこれら化合物の混合物からなる群から選択される、４０〜６０℃の融点を有する成分５〜５０質量％、及びｃ）水５〜２５質量％を含む組成物に関する。
【発明を実施するための最良の形態】
【０００９】
本発明の組成物は、エマルション又は懸濁液、好ましくは水中油（o/w）又は油中水（w/o）エマルションである。
【００１０】
１つの好ましい態様において、エマルションは、２３℃において、１００〜１００００mPa.sの範囲、好ましくは５００〜５００mPa.sの範囲、より好ましくは２０００〜４０００mPa.sの範囲の粘度（ブルックフィールドRVF、スピンドル５、１０rpm、２３℃）を有する。特定の乳化剤及び選択された油状成分の他に、エマルションは、２５〜４５質量％、好ましくは２５〜４０質量％、より好ましくは１０〜２５質量％の水を含む。本発明の組成物は、好ましくはw/oエマルションである。
【００１１】
成分ａ）は、当業者に既知の多くの化合物から選択され、このような化合物の融点は２５℃から最高３７℃である。ある種のパラフィン、肪酸エステル、及び特に脂肪アルコールが、この目的に使用され得る。適当なパラフィンは、好ましくは半固体パラフィン、例えば軟質パラフィン、好ましくは流動パラフィン（ペトロラタム）である。適当な脂肪アルコールは、例えば、ドデカノール又はリシノレイルアルコールであり、更に、不飽和脂肪アルコールも挙げることができる。グリセリド、好ましくは部分グリセリドとトリグリセリドの混合物（２５〜３７℃の融点を有する）が、本発明の目的にとって特に適している。Ｃ８−１８脂肪酸のグリセリドの混合物が特に好ましい。
【００１２】
グリセリドは、グリセロールの脂肪酸（例えば、カプロン酸、カプリル酸、２−エチルヘキサン酸、カプリン酸、ラウリン酸、イソトリデカン酸、ミリスチン酸、パルミチン酸、パルミトレイン酸、ステアリン酸、イソステアリン酸、オレイン酸、エライジン酸、ペトロセリン酸、リノール酸、リノレン酸、アラキジン酸、ガドレイン酸、ベヘン酸及びエルカ酸並びにこれらの工業用混合物）とのモノ、ジ及び／又はトリエステルである。これらは、式（Ｉ）：
【化１】
2005526187.tif 000002
［式中、Ｒは、相互に独立に、ＣＯＲ’基（ここで、Ｒ’は分岐又は非分岐の飽和又は不飽和Ｃ６−２２アルキル基）及び／又は水素を表す。］
で示される。典型的な例は、ラウリル酸モノグリセリド、ラウリン酸ジグリセリド、ヤシ油脂肪酸モノグリセリド、ヤシ油脂肪酸トリグリセリド、パルミチン酸モノグリセリド、パルミチン酸トリグリセリド、ステアリン酸モノグリセリド、ステアリン酸ジグリセリド、イソステアリン酸モノグリセリド、イソステアリン酸ジグリセリド、オレイン酸モノグリセリド、オレイン酸ジグリセリド、獣脂脂肪酸モノグリセリド、獣脂脂肪酸ジグリセリド、ベヘン酸モノグリセリド、ベヘン酸ジグリセリド、エルカ酸モノグリセリド、エルカ酸ジグリセリド及びこれらの工業用混合物であり、これらは、製造工程からの少量のトリグリセリドを含んでいてよい。
【００１３】
乳化剤成分ｃ）の使用は、本発明において必須である。Ｃ１２−２１脂肪酸とのグリセロール部分エステル、好ましくはグリセロールモノラウレートは、とりわけ適している。さらに、ポリビニルステロールエーテル、特に好ましい態様ではポリグリセロールポリ−１２−ヒドロキシステアレートも適している。ポリオールポリグリセロールポリ−１２−ヒドロキシステアレートは、例えばDehymuls PWPH、Eumulgin VL 75 及びDehymuls SP11 の商品名でCognis Deutschland GmbH から市販されている既知物質である。この化合物の詳細は、ヨーロッパ特許EP 0 766 661 に記載されている。これら化合物のポリオール成分は、少なくとも２個、好ましくは３〜１２個、特に３〜８個のヒドロキシル基及び２〜１２個の炭素原子を有する物質から誘導することができる。典型的な例は、グリセロール、ポリグリセロール、アルキレングリコール、例えばエチレングリコール、ジエチレングリコール及びプロピレングリコール、メチロール化合物、好ましくはトリメチロールエタン、トリメチロールプロパン、トリメチロールブタン、ペンタエリスリトール又はジペンタエリスルトール、アルキル基に１〜２２個、好ましくは１〜８個、より好ましくは１〜４個の炭素原子を有するアルキルオリゴグリコシド、５〜１２個の炭素原子を有する糖アルコール、例えばソルビトール又はマンニトール、５〜１２個の炭素原子を含む糖、好ましくはグリコース又は蔗糖、並びにアミノ糖、例えばグルカミンである。ポリ−１２−ヒドロキシステアリン酸とポリグリセロールとの反応生成物は、特に有用であることが分かっている。ポリグリセロールは、以下の組成を有する：グリセロール５〜３５質量％、ジグリセロール１５〜４０質量％、トリグリセロール１０〜３５質量％、テトラグリセロール５〜２０質量％、ペンタグリセロール２〜１０質量％、オリゴグリセロール残部。
【００１４】
成分ａ）及びｂ）並びに水の他に、本発明の組成物は、他の成分、特に他の乳化剤、好ましくは非イオン性乳化剤を含むことができる。非イオン性乳化剤は、皮膚科学的適合性及び穏和性、並びに環境毒物学的特性に特徴がある。非イオン性乳化剤の組み合わせを使用すると、特に微細液滴エマルションが得られ、組成物の安定性が改良される。本発明の組成物は、共乳化剤を、組成物質量に基づき０〜１５質量％、好ましくは１〜１０質量％、より好ましくは３〜１０質量％の量で含む。
【００１５】
加えて、本発明の組成物は、他の典型的な成分、例えばシリコーンワックス又はポリシロキサンを、１〜６質量％、好ましくは１．５〜５．５質量％、より好ましくは２〜５質量％の量で含み得る。ポリシロキサンは、既知の化合物であり、モノマー単位として以下の構造を含む：
【化２】
2005526187.tif 000003
［式中、Ｒ''及びＲ'''は、相互に独立して、水素若しくはアルキル、シクロアルキル、アリール又はアルケニル基を表す。］
このシロキサンは、好ましくは、３７℃で５〜５０００mPa.s の粘度を有する。
【００１６】
更に、本発明の組成物は、有利には、皮膚科学的に適合性のある物質又はスキンケア物質を、好ましくは０．１〜１０質量％、より好ましくは１〜８質量％、最も好ましくは２〜６質量％の量で含み得る。そのような成分は、例えば、ビサボロール、アラントイン及びパンテノールであってよい。ビタミン、好ましくはビタミンＥ、ビタミン前駆体及び蛋白質水解物も使用できる。また、植物エキス、好ましくはカモミール、アロエ、ライム花、セイヨウトチノキ（マロニエ）、緑茶、オーク樹皮、イラクサ、ホップ、ゴボウ、トクサ、サンザシ、アーモンド、松葉、白檀、ジュニパー、ココナツ、アプリコット、レモン、小麦、キウイ、メロン、オレンジ、グレープフルーツ、セージ、ローズマリー、カバノキ、アオイ（マロー）、ノコギリソウ、タイム、バルム、ハリシュモク、フキタンポポ、チョウセンニンジン、生姜も適している。しかしながら、他のスキンケア物質、特にキトサン、酸化亜鉛及びリシノール酸亜鉛を存在させてもよい。
【００１７】
本発明の１つの態様において、エマルションは、他の助剤及び添加剤、例えば過脂剤、増粘剤、ポリマー、ワックス、生物作用剤、消臭剤、フィルム形成剤、ＵＶ保護成分、酸化防止剤、ヒドロトロープ、防腐剤、昆虫忌避剤、自己日焼け剤、可溶化剤、安定剤、香油、染料、制菌剤などを含んでいてよい。
【００１８】
過脂剤は、例えばラノリン及びレシチン、並びにポリエトキシル化又はアシル化ラノリン及びレシチン誘導体、ポリオール脂肪酸エステル、モノグリセリド及び脂肪酸アルカノールアミドから成る群から選択でき、後者は泡安定剤としても作用する。
【００１９】
適当な増粘剤は、例えば、エアロジル型（親水性シリカ）、多糖類、特にキサンタンガム、グアールガム、寒天、アルギン酸塩及びチロース、カルボキシメチルセルロース並びにヒドロキシエチルセルロース、更に、比較的高分子量の、脂肪酸のポリエチレングリコールモノエステル及びジエステル、ポリアクリレート（例えば、CarbopolTM (Goodrich) 又はSynthalensTM (Sigma) ）、ポリアクリルアミド、ポリビニルアルコール及びポリビニルピロリドン、界面活性剤、例えばエトキシル化脂肪酸グリセリド、ポリオール（例えばペンタエリスリトール又はトリメチロールプロパン）との脂肪酸のエステル、狭範囲脂肪アルコールエトキシレート又はアルキルオリゴグルコシド、並びに電解質、例えば塩化ナトリウム及び塩化アンモニウムである。
【００２０】
適当なカチオン性ポリマーは、例えば、カチオン性セルロース誘導体（例えば、Amerchol からPolymer JR 400TM の名称で得られる４級化ヒドロキシエチルセルロース）、カチオン性デンプン、ジアリルアンモニウム塩とアクリルアミドの共重合体、４級化ビニルピロリドン／ビニルイミダゾールポリマー（例えば、LuviquatTM (BASF) ）、ポリグリコールとアミンとの縮合生成物、４級化コラーゲンポリペプチド（例えば、Lauryldimonium Hydroxypropyl Hydrolyzed Collagen (LamequatTM L/Gruenau) ）、４級化小麦ポリペプチド、ポリエチレンイミン、カチオン性シリコーンポリマー（例えば、アモジメチコーン）、アジピン酸とジメチルアミノヒドロキシプロピルジエチレントリアミンの共重合体（CartaretineTM/Sandoz) ）、アクリル酸とジメチルジアリルアンモニウムクロリドの共重合体（MerquatTM 550/Chemviron) ）、ポリアミノポリアミド、カチオン性キチン誘導体（例えば、４級化キトサン）、場合により微結晶分散の、ジハロアルキル（例えばジブロモブタン）とビスジアルキルアミン（例えばビスジメチルアミノ−１,３−プロパン）の縮合生成物、カチオン性グアールガム（例えば、Celanese製JaguarTM CBS、JaguarTM C-17、JaguarTM C-16）、４級化アンモニウム塩ポリマー（例えば、Miranol製MirapolTM A-15、MirapolTM AD-1、MirapolTM AZ-1）である。
【００２１】
適当なアニオン性、双性イオン性、両性イオン性及び非イオン性ポリマーは、例えば、酢酸ビニル／クロトン酸共重合体、ビニルピロリドン／アクリル酸ビニル共重合体、酢酸ビニル／マレイン酸ブチル／アクリル酸イソボルニル共重合体、メチルビニルエーテル／無水マレイン酸共重合体及びこれらのエステル、未架橋及びポリオール架橋ポリアクリル酸、アクリルアミドプロピルトリメチルアンモニウムクロリド／アクリレート共重合体、オクチルアクリルアミド／メタクリル酸メチル／メタクリル酸ｔ−ブチルアミノエチル／メタクリル酸２−ヒドロキシプロピル共重合体、ポリビニルピロリドン、ビニルピロリドン／酢酸ビニル共重合体、ビニルピロリドン／メタクリル酸ジメチルアミノエチル／ビニルカプロラクタム三元共重合体、場合により誘導体化されたセルロースエーテル並びにシリコーンである。
【００２２】
本発明において、生物作用剤は、例えば、トコフェロール、酢酸トコフェロール、パルミチン酸トコフェロール、アスコルビン酸、デオキシリボ核酸、ビサボロール、アラントイン、フィタントリオール、パンテノール、α−ヒドロキシカルボン酸、アミノ酸、セラミド、シュードセラミド、精油、植物エキス及びビタミン複合体である。
【００２３】
適当な消臭剤は、例えば、アルミニウムクロロハイドレート、アルミニウム／ジルコニウムクロロハイドレート及び亜鉛塩のような制汗剤である。このような制汗剤は、発汗抑制及び消臭製剤の製造に使用され、恐らく、タンパク質及び／又は多糖類の沈積により汗腺を部分的に封鎖することにより作用する。クロロハイドレートの他に、ヒドロキシ乳酸アルミニウム及び酸性アルミニウム／ジルコニウム塩も使用することができる。例えば、式：[Al２(OH)５Cl]・２.５H２O で示され、本発明の目的にとって特に好ましいアルミニウムクロロハイドレートは、LocronTM の商品名でClariant GmbH から販売されている。RezalTM 36G の商品名でReheis から販売されているアルミニウム／ジルコニウムテトラクロロハイドレックス／グリシン複合体も、本発明に従って使用することができる。他の適当な制汗剤は、エステラーゼ阻害剤、好ましくはクエン酸トリアルキル、例えばクエン酸トリメチル、クエン酸トリプロピル、クエン酸トリイソプロピル、クエン酸トリブチル及び特にクエン酸トリエチル（HydagenTM C.A.T., Cognis Deutschland GmbH）である。エステラーゼ阻害剤は、酵素活性を阻害し、従って臭いの生成を低減する。恐らく、クエン酸エステルの分解により遊離酸が放出され、酵素が阻害される程度に皮膚のｐＨ値を低下させるのであろう。他のエステラーゼ阻害剤は、硫酸ステロール又はリン酸ステロール（例えば、ラノステロール、コレステロール、カンペステロール、スティグマステロール及びシトステロールの硫酸又はリン酸エステル）、ジカルボン酸及びそのエステル（例えば、グルタル酸、グルタル酸モノエチルエステル、グルタル酸ジエチルエステル、アジピン酸、アジピン酸モノエチルエステル、アジピン酸ジエチルエステル、マロン酸及びマロン酸ジエチルエステル）、ヒドロキシカルボン酸及びそのエステル（例えば、クエン酸、リンゴ酸、酒石酸又は酒石酸ジエチルエステル）である。菌叢に影響を与え、汗を分解する菌を殺し又は抑制する抗菌剤も、エマルション中に存在してよい。そのような抗菌剤の例は、キトサン、フェノキシエタノール及びクロルヘキシジングルコネートである。５−クロロ−２−(２,４−ジクロロフェノキシ)−フェノール（スイス、バーゼル在Ciba-Geigy からIrgasanTM の商品名で販売）も特に有効であることが示されている。
【００２４】
加えて、ヒドロトロープ、例えばエタノール、イソプロピルアルコール又はポリオールを流動挙動を改善するために使用することができる。適当なポリオールは、好ましくは２〜１５個の炭素原子及び少なくとも２個の水酸基を有する。ポリオールは、他の官能基、特にアミノ基を含んでよく、又は窒素で変性されていてよい。助剤及び添加剤の合計割合は、特定の組成物に基づき、１〜５０質量％、好ましくは５〜４０質量％であってよい。
【００２５】
更に、エマルションを安定させるために安定剤、例えばグリセロール又は硫酸マグネシウムを、好ましくは０．１〜５質量％、より好ましくは０．１〜１．５質量％の量で使用することも有利であり得る。
【００２６】
本発明の組成物は、通常の冷間又は熱間法により調製でき、好ましくは転層温度法により調製できる。
【００２７】
本発明はまた、不織布の皮膚化学的適合性仕上げに上記の組成物を使用することにも関する。
【００２８】
フリースは当業者に知られた材料である。本発明に従って好ましく使用さえっるフリースは、全体として又は部分的にポリオレフィンを含んでいる。あらゆる既知の種類のエチレン系又はプロピレン系ポリマー及びコポリマーが、この目的に適している。純ポリオレフィンとコポリマーとの混合物も基本的に適している。本発明に従った教示の目的にとって特に好適なポリマーは以下のものである：ポリ(エチレン)、例えばＨＤＰＥ（高密度ポリエチレン）、ＬＤＰＥ（低密度ポリエチレン）、ＶＬＤＰＥ（超低密度ポリエチレン）、ＬＬＤＰＥ（線状低密度ポリエチレン）、ＭＤＰＥ（中密度ポリエチレン）、ＵＨＭＰＥ（超高分子量ポリエチレン）、ＶＰＥ（架橋ポリエチレン）、ＨＰＰＥ（高圧法ポリエチレン）；アイソタクチックポリプロピレン；シンジオタクチックポリプロピレン；メタロセン−触媒ポリプロピレン、高衝撃ポリプロピレン、エチレン及びプロピレンのランダムコポリマー、エチレン及びプロピレンのブロックコポリマー；ＥＰＭ（ポリ[エチレン−コ−プロピレン]）；ＥＰＤＭ（ポリ[エチレン−コ−プロピレン−コ−共役ジエン]）。他の好適なポリマーは、ポリ(スチレン)、ポリ(メチルスチレン)、ポリ(オキシメチレン)、メタロセン−触媒α−オレフィン又はシクロオレフィンコポリマー、例えばノルボルネン／エチレンコポリマー；少なくとも８０％のエチレン及び／又はスチレンと２０％未満のモノマー（酢酸ビニル、アクリレート、メタクリレート、アクリル酸、アクリロニトリル、塩化ビニル）を含むコポリマーである。このようなポリマーの例は、ポリ(エチレン−コ−アクリル酸エチル)、ポリ(エチレン−コ−酢酸ビニル)、ポリ(エチレン−コ−塩化ビニル)、ポリ(スチレン−コ−アクリロニトリル)である。また、グラフトコポリマー及びポリマーブレンド、即ち、とりわけ上記ポリマーが含まれるポリマーの混合物、例えばポリエチレン及びポリプロピレンに基づくポリマーブレンドも適している。
【００２９】
エチレン及びプロピレンに基づくホモポリマー及びコポリマーは、本発明の目的にとって特に好ましい。従って、本発明の１態様では、ポリエチレンそのものがポリオレフィンとして使用され、別の態様では、ポリプロピレンそのものがポリオレフィンとして使用され、他の態様では、エチレン／プロピレンコポリマーがポリオレフィンとして使用される。
本発明のとりわけ好ましい態様では、成分ａ）はポリプロピレンである。
【００３０】
更に本発明は、上記方法により得られた水性媒体により湿潤された親水化ポリオレフィン系又はポリエステル系繊維を、シート状繊維製品、好ましくは不織布の製造に用いることに関する。特に好ましい態様では、このようなシート状繊維製品はおむつでの使用が意図されている。
【００３１】
実施例
本発明に従った以下の組成物を調製した。
【００３２】
エマルション１
Ｃ１４／Ｃ１６脂肪酸に基づく部分グリセリド／トリグリセリド混合物（融点範囲３３．０〜３５．５℃）  ５１質量％
Ｃ１４／Ｃ６脂肪酸に基づく部分グリセリド／トリグリセリド混合物（融点範囲４０．０〜４２．０℃）  １７質量％
ポリヒドロキシステアリン酸ポリグリセロールエステル  １０質量％
グリセロール（８６％）  １．４５質量％
ＭｇＳＯ４・７Ｈ２Ｏ  ０．３０質量％
水  残部
【００３３】
エマルション２
Ｃ１４／Ｃ１６脂肪酸に基づく部分グリセリド／トリグリセリド混合物（融点範囲３３．０〜３５．５℃）  ４８質量％
Ｃ１４／Ｃ６脂肪酸に基づく部分グリセリド／トリグリセリド混合物（融点範囲４０．０〜４２．０℃）  １５質量％
ポリヒドロキシステアリン酸ポリグリセリロールエステル  １０質量％
ＺｎＯ４  ５質量％
グリセロール（８６％）  １．４５質量％
水  残部
【００３４】
エマルション３
Ｃ１４／Ｃ１６脂肪酸に基づく部分グリセリド／トリグリセリド混合物（融点範囲３３．０〜３５．５℃）  ４０質量％
Ｃ１４／Ｃ６脂肪酸に基づく部分グリセリド／トリグリセリド混合物（融点範囲４０．０〜４２．０℃）  １５質量％
ポリビニルステアリルエステル  １３質量％
グリセロール（８６％）  １．４５質量％
ＭｇＳＯ４・７Ｈ２Ｏ  ０．３０質量％
水  残部
【００３５】
Nordson スロットコータを用いて、エマルションをＰＰ不織布に１０及び３０mg／Ｌの濃度で適用した。
【国際調査報告】
2005526187.tif 000004
2005526187.tif 000005
2005526187.tif 000006
2005526187.tif 000007
2005526187.tif 000008
2005526187.tif 000009